(57)【要約】【課題】  受け皿の球抜き孔と球通路レールの抜き孔とを連通させた球抜き通路を具備したものであっても、そのメンテナンス時の作業性を良好とすることができるパチンコ遊技機を提供する。【解決手段】  遊技者が投入する遊技球及び払い出された賞球を受け得る受け皿５と、球通路レール７と、球送り装置８と、受け皿５上の遊技球を落下させ得る第１球抜き孔９と、球通路レール７における球送り装置８直前の位置の遊技球を落下させ得る第２球抜き孔１１と、第１球抜き孔９と第２球抜き孔１１とを連通して、これら球抜き孔から落下した遊技球を通過させ得るとともに、その遊技球を外部に落下させて排出し得る排出口１３ｃが形成された球抜き通路１３とを具備したパチンコ遊技機であって、前記球抜き通路１３は、遊技球の通過する内部が開放可能とされたものである。【選択図】図４
2006223522.tif 000002
【特許請求の範囲】
【請求項１】
遊技者が投入する遊技球及び払い出された賞球を受け得る受け皿と、
該受け皿上の遊技球を一列に整列させつつ、遊技球を遊技盤に発射する発射装置まで延設された球通路レールと、
該球通路レール上の遊技球を前記発射装置に送るための球送り装置と、
前記受け皿上の遊技球を落下させ得る第１球抜き孔と、
前記球通路レールにおける前記球送り装置直前の位置の遊技球を落下させ得る第２球抜き孔と、
前記第１球抜き孔と第２球抜き孔とを連通して、これら球抜き孔から落下した遊技球を通過させ得るとともに、その遊技球を外部に落下させて排出し得る排出口が形成された球抜き通路と、
を具備したパチンコ遊技機であって、
前記球抜き通路は、遊技球の通過する内部が開放可能とされたことを特徴とするパチンコ遊技機。
【請求項２】
前記球抜き通路は、透明又は半透明部材で構成され、その内部を視認し得るよう構成されたことを特徴とする請求項１記載のパチンコ遊技機。
【請求項３】
前記球抜き通路は、前面枠の背面側で揺動して内部を開放可能とした開閉蓋部を有するとともに、該開閉蓋部の揺動軸が当該前面枠の揺動軸側に形成されたことを特徴とする請求項１又は請求項２記載のパチンコ遊技機。
【発明の詳細な説明】
【技術分野】
【０００１】
本発明は、遊技者が投入する遊技球及び払い出された賞球を受け得る受け皿を具備したパチンコ遊技機に関するものである。
【背景技術】
【０００２】
一般のパチンコ遊技機においては、その前面枠に上皿及び下皿を具備しており、上皿に遊技者が遊技球を投入するとともに、上皿で受けきれない賞球等を下皿にて受け得るよう構成されていた。しかしながら、上皿及び下皿の両者を上下２段に配設する必要上、高さ方向におけるスペースを広く必要とするため、遊技盤の大きさ等に制限が生じてしまうという不具合があった。
【０００３】
この不具合を解消すべく、従来、上皿及び下皿を共通の受け皿として単独配設させ、かかる受け皿にて遊技者が投入する遊技球及び払い出される賞球などを受け得る構成としたパチンコ遊技機が提案されるに至っている（例えば、特許文献１参照）。かかるパチンコ遊技機は、共通の受け皿上の遊技球を球抜きするための球抜き機構と、当該受け皿から発射装置まで延びる球通路レールにおける球送り装置直前の位置の遊技球を球抜きするための球抜き機構とを有していた。
【０００４】
そして、遊技終了後の球抜き時には、球抜きのための操作手段を操作することにより受け皿に形成された球抜き孔を開放させ、当該受け皿上の遊技球を賞球箱に落下させるとともに、球通路レールに形成された球抜き孔を開放させ、当該球通路レール上の遊技球をも賞球箱に落下させるよう構成されていた。これにより、単独の受け皿により、遊技終了の際の受け皿及び球通路レールにおける双方の遊技球の回収が行われていた。
【特許文献１】特開２００４−２０１９６３号公報
【発明の開示】
【発明が解決しようとする課題】
【０００５】
しかしながら、上記従来のパチンコ遊技機においては、上皿及び下皿を兼ねた共通の受け皿を具備しているため、受け皿の球抜き孔と球通路レールの球抜き孔とを連通して賞球箱のある排出位置まで遊技球を通過させるための比較的長尺な球抜き通路が必要である。即ち、上皿と下皿に分離された一般的なパチンコ遊技機においては、上皿の球抜き孔（球通路レールの球送り装置直前の位置の球抜き孔）から下皿までの比較的短い通路にて、球抜きを行わせることができていたのに対し、従来技術の如く共通の受け皿とした場合、受け皿の球抜き孔から球通路レールの球抜き孔まで延びる、比較的長い球抜き通路が必要となるのである。従って、当該球通路レールに遊技球や異物等が詰まった場合、その除去作業が極めて困難となってしまい、メンテナンス時の作業性が悪化してしまうという問題があった。
【０００６】
本発明は、このような事情に鑑みてなされたもので、受け皿の球抜き孔と球通路レールの抜き孔とを連通させた球抜き通路を具備したものであっても、そのメンテナンス時の作業性を良好とすることができるパチンコ遊技機を提供することにある。
【課題を解決するための手段】
【０００７】
請求項１記載の発明は、遊技者が投入する遊技球及び払い出された賞球を受け得る受け皿と、該受け皿上の遊技球を一列に整列させつつ、遊技球を遊技盤に発射する発射装置まで延設された球通路レールと、該球通路レール上の遊技球を前記発射装置に送るための球送り装置と、前記受け皿上の遊技球を落下させ得る第１球抜き孔と、前記球通路レールにおける前記球送り装置直前の位置の遊技球を落下させ得る第２球抜き孔と、前記第１球抜き孔と第２球抜き孔とを連通して、これら球抜き孔から落下した遊技球を通過させ得るとともに、その遊技球を外部に落下させて排出し得る排出口が形成された球抜き通路とを具備したパチンコ遊技機であって、前記球抜き通路は、遊技球の通過する内部が開放可能とされたことを特徴とする。
【０００８】
請求項２記載の発明は、請求項１記載のパチンコ遊技機において、前記球抜き通路は、透明又は半透明部材で構成され、その内部を視認し得るよう構成されたことを特徴とする。
【０００９】
請求項３記載の発明は、請求項１又は請求項２記載のパチンコ遊技機において、前記球抜き通路が、前面枠の背面側で揺動して内部を開放可能とした開閉蓋部を有するとともに、該開閉蓋部の揺動軸が当該前面枠の揺動軸側に形成されたことを特徴とする。
【発明の効果】
【００１０】
請求項１の発明によれば、球抜き通路は、遊技球の通過する内部が開放可能とされたので、受け皿の球抜き孔と球通路レールの抜き孔とを連通させた球抜き通路を具備したものであっても、そのメンテナンス時の作業性を良好とすることができる。
【００１１】
請求項２の発明によれば、球抜き通路が、透明又は半透明部材で構成され、その内部を視認し得るよう構成されたので、外部から目視にて内部に遊技球や異物等が詰まっているか否かを判別することができ、メンテナンス時の作業性を更に向上させることができる。
【００１２】
請求項３の発明によれば、球抜き通路における開閉蓋部の揺動軸が、前面枠の揺動軸側に形成されているので、球抜き通路の揺動方向と前面枠の揺動方向とを略同一とすることができ、当該前面枠を大きく開かなくても、球抜き通路を開放させることができる。
【発明を実施するための最良の形態】
【００１３】
以下、本発明の実施形態について図面を参照しながら具体的に説明する。
本実施形態に係るパチンコ遊技機は、図１に示すように、遊技盤（不図示）を透視し得るガラス窓２と、遊技盤上に遊技球を発射操作するためのハンドル４と、遊技者が投入する遊技球及び払い出しされた賞球等を受け得る受け皿５と、球抜きボタン６とが主に前面枠３に配設されたものである。
【００１４】
ハンドル４は、遊技者が把持しつつ回動操作することにより、内部の発射装置（不図示）を駆動させ、連続的に遊技盤上へ遊技球を発射させ得るものである。かかるハンドル４には、遊技者の手が触れているか否かを検知するタッチセンサ（不図示）が配設されており、該タッチセンサの検知状態により、遊技球が遊技盤に発射されているか否かを間接的に判別できるよう構成されている。
【００１５】
受け皿５は、前面枠３から正面側（遊技者側）に膨出して形成され、遊技者が投入する遊技球、払い戻される賞球又はファウル球等を多数収容し得るもので、その底面の一部に球抜き用の第１球抜き孔９（図６等参照）が形成されるとともに、球通路レール７（図１及び図２参照）と連結されている。かかる球通路レール７は、遊技球を遊技盤に発射する発射装置（不図示）と受け皿５とを連結したもので、当該受け皿５上の遊技球を一列に整列させつつ発射装置まで送るためのものである。
【００１６】
球通路レール７における発射装置の直前の位置には、図２に示すように、当該球通路レール７上の遊技球を発射装置に送るための球送り装置８が配設されている。即ち、受け皿５上の遊技球は、球通路レール７にて整列されつつ球送り装置８に１個づつ送り込まれ、そこから発射装置内に至った後、該発射装置の駆動により遊技盤に発射されるよう構成されているのである。
【００１７】
また、受け皿５の底面に形成された第１球抜き孔９は、図５及び図６に示すように、第１作動部材１０の動作により、開放又は閉塞され得るものであり、開放により受け皿５上の遊技球が下方に落下し得るよう構成されている。かかる第１作動部材１０は、その基端側の揺動軸１０ａを中心に揺動自在とされるとともに、先端には第１球抜き孔９を閉塞し得る閉塞部１０ｂが形成されている。
【００１８】
また、第１作動部材１０の基端は、ソレノイドＳ１の作動軸Ｓ１ａと連結されており、当該ソレノイドＳ１の電気的な駆動により、閉塞位置（図５の状態）にある第１作動部材１０を、開放位置（図６の状態）まで揺動させ、第１球抜き孔９を開放させるよう構成されている。尚、ソレノイドＳ１の駆動が停止すると、スプリングＢ１の不勢力により、開放位置の第１作動部材１０が閉塞位置（初期位置）まで揺動し、第１球抜き孔９を再び閉塞し得るよう構成されている。
【００１９】
一方、球通路レール７における球送り装置８直前の位置（即ち、球通路レール７の先端位置）には、図７及び図８に示すように、第２球抜き孔１１が形成されている。かかる第２球抜き孔１１は、同図に示すように、第２作動部材１２の動作により、開放又は閉塞され得るものであり、開放により球送り装置８に送られる直前の遊技球が１個づつ下方に落下し得るよう構成されている。かかる第２作動部材１２は、その基端側の揺動軸１２ａを中心に揺動自在とされるとともに、先端には第２球抜き孔１１を閉塞し得る閉塞部１２ｂが形成されている。
【００２０】
また、第２作動部材１２の基端は、ソレノイドＳ２の作動軸Ｓ２ａと連結されており、当該ソレノイドＳ２の電気的な駆動により、閉塞位置（図７の状態）にある第２作動部材１２を、開放位置（図８の状態）まで揺動させ、第２球抜き孔１１を開放させるよう構成されている。尚、ソレノイドＳ２の駆動が停止すると、スプリングＢ２の不勢力により、開放位置の第２作動部材１２が閉塞位置（初期位置）まで揺動し、第２球抜き孔１１を再び閉塞し得るよう構成されている。
【００２１】
上記した第１球抜き孔９及び第２球抜き孔１１は、図９に示すように、球抜き通路１３及び連結路１４により連結されており、当該球抜き通路１３には、下方に開口した排出口１３ｃが形成されている。即ち、球抜き通路１３は、前面枠３の背面側に配設され、第１球抜き孔９と第２球抜き孔１１とを連通して、これら球抜き孔から落下した遊技球を通過させ得るとともに、その遊技球を外部に落下させて排出し得る排出口１３ｃが形成されて成るものである。
【００２２】
然るに、球抜き通路１３は、図４に示すように、遊技球を通過させ得る断面略コ字状に形成された通路本体１３ｂと、該通路本体１３ｂの開放側（図２及び図３中手前側）を塞いで当該通路本体１３ｂと共に通路を形成する開閉蓋部１３ａとから主に構成されている。このうち開閉蓋部１３ａは、透明樹脂又は半透明樹脂で構成され、通路内部を視認し得るようになっている。
【００２３】
更に、球抜き通路１３の開閉蓋部１３ａは、揺動軸Ｌ１（図２参照）を中心に揺動自在に支持されており、内部の通路を開放した状態（図４の状態）と覆った状態（図３の状態）との間を揺動可能とされている。尚、図２中符号１５は、開閉蓋部１３ａが内部の通路を覆った状態のとき、当該開閉蓋部１３ａを係止するためのロック部材を示しており、メンテナンス時等にロック部材１５を回動させて係止を解除すれば、開閉蓋部１３ａが揺動可能とされている。
【００２４】
従って、メンテナンス時等に前面枠３を開けば、透明又は半透明な開閉蓋部１３ａの外部から、遊技球や異物等が詰まっているか否かを目視することができるとともに、ロック部材１５による係止を解除して揺動軸Ｌ１を中心に開閉蓋部１３ａを揺動させ、図４に示すように、内部を開放させれば、通路に詰まった遊技球や異物等を容易に除去することができる。
【００２５】
また、球抜き通路１３は、図３及び図４に示すように、その開閉蓋部１３ａの揺動軸Ｌ１が、前面枠３の揺動軸Ｌ２側に形成されており、前面枠３の開閉方向と球抜き通路１３の揺動方向とが略同一とされている。これにより、前面枠３を大きく開かなくても、開閉蓋部１３ａを十分に揺動させることができ、球抜き通路１３を開放させることができるので、メンテナンス作業をより良好とすることができる。
【００２６】
上記構成により、遊技終了後、遊技者が球抜き操作をしようとして球抜きボタン６を押圧操作すると、ソレノイドＳ１及びＳ２に電力が供給されて第１作動部材１０及び第２作動部材１２を作動し、第１球抜き孔９及び第２球抜き孔１１が開放する。そして、第１球抜き孔９から落下した遊技球は、連結路１４を介して球抜き通路１３内を通過し、排出口１３ｃから排出される一方、第２球抜き孔１１から落下した遊技球は、球抜き通路１３を落下して排出口１３ｃから排出される。
【００２７】
これにより、遊技終了の際、排出口１３ｃの下方に賞球箱を保持しておけば、受け皿５上の遊技球と共に球通路レール７上の遊技球をも当該賞球箱に落下させ、回収することができる。尚、遊技球が遊技盤に発射されている発射状態と、発射されていない非発射状態とを既述のタッチセンサにて認識し、球抜きボタン６を押圧操作した際の、ソレノイドＳ１及びＳ２への電力供給を選択的に行わせ、発射状態では、第１作動部材１０を駆動させて第１球抜き孔９のみを開放させる一方、非発射状態では、第１作動部材１０及び第２作動部材１２の両者を駆動させて第１球抜き孔９及び第２球抜き孔１１の両方を開放させるようにしてもよい。
【００２８】
上記実施形態によれば、球抜き通路１３が、遊技球の通過する内部を開放可能とされたので、受け皿５の球抜き孔（第１球抜き孔９）と球通路レール７の抜き孔（第２球抜き孔１１）とを連通させような比較的長尺な球抜き通路を具備したものであっても、そのメンテナンス時の作業性を良好とすることができる。
【００２９】
以上、本実施形態について説明したが、本発明はこれに限定されるものではなく、球抜き通路は、その内部が開放可能とされていれば足り、例えば開閉蓋部が通路本体に対して脱着可能とされたもの、或いは開閉蓋部が通路本体に対してスライド動作して内部を開放し得るもの等としてもよい。また、本実施形態に係る球抜き通路の開閉蓋部は、前面枠と略同一方向に揺動し得る構成であるが、上方又は下方へ揺動して内部が開放されるものとしてもよい。
【００３０】
更に、本実施形態におけるパチンコ遊技機においては、第１作動部材１０及び第２作動部材１２を駆動するための駆動手段として、ソレノイドＳ１及びＳ２の２つを具備しているが、１つの駆動手段にて選択的に第１作動部材１０及び第２作動部材１２を駆動し得るものとしてもよく、或いは第１作動部材１０又は第２作動部材１２の何れか又は両者が手動により動作して球抜き孔を開放させるものであってもよい。
【産業上の利用可能性】
【００３１】
第１球抜き孔と第２球抜き孔とを連通して、これら球抜き孔から落下した遊技球を通過させ得るとともに、その遊技球を外部に落下させて排出し得る排出口が形成された球抜き通路を具備し、該球抜き通路における遊技球の通過する内部が開放可能とされたパチンコ遊技機であれば、外観形状が異なるもの或いは他の機能が付加されたものにも適用することができる。
【図面の簡単な説明】
【００３２】
【図１】本発明の実施形態に係るパチンコ遊技機の外観全体を示す斜視図
【図２】同パチンコ遊技機における前面枠の背面側であって下部を拡大して示す模式図
【図３】同パチンコ遊技機における前面枠の背面側であって、球抜き通路が開放されていない状態を示す斜視図
【図４】同パチンコ遊技機における前面枠の背面側であって、球抜き通路が開放された状態を示す斜視図
【図５】同パチンコ遊技機における第１球抜き孔、第１作動部材及び駆動手段としてのソレノイドを示す上面模式図（第１球抜き孔閉塞状態）
【図６】同パチンコ遊技機における第１球抜き孔、第１作動部材及び駆動手段としてのソレノイドを示す上面模式図（第１球抜き孔開放状態）
【図７】同パチンコ遊技機における第２球抜き孔、第２作動部材及び駆動手段としてのソレノイドを示す上面模式図（第２球抜き孔閉塞状態）
【図８】同パチンコ遊技機における第２球抜き孔、第２作動部材及び駆動手段としてのソレノイドを示す上面模式図（第２球抜き孔開放状態）
【図９】同パチンコ遊技機における第１球抜き孔及び第２球抜き孔からの遊技球の落下軌跡を示す模式図
【符号の説明】
【００３３】
１    パチンコ遊技機
２    ガラス窓
３    前面枠
４    ハンドル
５    受け皿
６    球抜きボタン
７    球通路レール
８    球送り装置
９    第１球抜き孔
１０  第１作動部材
１１  第２球抜き孔
１２  第２作動部材
１３  球抜き通路
１３ａ  開閉蓋部
１３ｂ  通路本体
１３ｃ  排出口
１４  連結路
【図１】
2006223522.tif 000003
【図２】
2006223522.tif 000004
【図３】
2006223522.tif 000005
【図４】
2006223522.tif 000006
【図５】
2006223522.tif 000007
【図６】
2006223522.tif 000008
【図７】
2006223522.tif 000009
【図８】
2006223522.tif 000010
【図９】
2006223522.tif 000011